(57)【特許請求の範囲】
【請求項１】
ディスクを挿入方向又は排出方向へ搬送する搬送手段と、
スイッチのＯＮからＯＦＦへの切り替わりにより前記ディスクが排出位置へ搬送されたことを検出する検出手段と、
前記検出手段により前記ディスクが前記排出位置へ搬送されたことが検出されると前記搬送手段の搬送を停止させる制御手段と、
を備えたディスク再生装置において、
前記制御手段は前記搬送手段を停止させた後、前記搬送手段を前記挿入方向へ駆動させ前記スイッチのＯＦＦからＯＮへの切り替わりの有無により前記排出位置に於ける前記ディスクの有無を判定することを特徴とするディスク再生装置。
【発明の詳細な説明】
【０００１】
【発明の属する技術分野】
本発明は、ディスクの検出手段を兼用するディスク再生装置に関する。
【０００２】
【従来の技術】
現在、ディスク再生装置にディスクの有無を検出する検出部が設けられ、ローディング制御や異なる径のディスク判別等に使用されている。
【０００３】
【発明が解決しようとする課題】
そして、小型化や低価格の点から、このディスクの検出部の数は極力少ないことが望ましい（特開２０００−１０５９５７号公報参照）。
【０００４】
【課題を解決するための手段】
本発明のディスク再生装置は係る点に鑑みなされたもので、
ディスクを挿入方向又は排出方向へ搬送する搬送手段と、
スイッチのＯＮからＯＦＦへの切り替わりにより前記ディスクが排出位置へ搬送されたことを検出する検出手段と、
前記検出手段により前記ディスクが前記排出位置へ搬送されたことが検出されると前記搬送手段の搬送を停止させる制御手段と、
を備えたディスク再生装置において、
前記制御手段は前記搬送手段を停止させた後、前記搬送手段を前記挿入方向へ駆動させ前記スイッチのＯＦＦからＯＮへの切り替わりの有無により前記排出位置に於ける前記ディスクの有無を判定することを特徴とするものである。
【０００５】
【発明の実施の形態】
本発明の実施例の形態を図に基づき説明する。本実施例のディスク再生装置はローラによりディスクの引き込み／排出を行う８ｃｍ／１２ｃｍのＣＤプレーヤである。第１の実施例は、排出位置に搬送されたディスクがいつまでも使用者により排除されないときに音声でその旨報知するものであり、第２の実施例は、このときに自動的に再度ディスクを引き込むものである。いずれの実施例もディスクの有無の検出方法を特徴とする。
【０００６】
図１は、本発明の第１の実施例の要部を示すブロック図である。光センサー（１）は発光部（１ａ）と受光部（１ｂ）とからなり（図３参照）、その間を通過する８ｃｍディスク（Ｄ１）及び１２ｃｍディスク（Ｄ２）の有無を検出する。
【０００７】
再生位置検出部（２）は８ｃｍディスク（Ｄ１）及び１２ｃｍディスク（Ｄ２）が再生位置（図４参照）まで引き込まれたか否かを検出する。ここで、再生位置とはディスクの引き込みの終了位置を示す。その検出例は同一出願人の特願平１１−３３４５０３号に記載されており、ここではこの検出方法は要部ではなく、この説明を省略する。ＥＪＥＣＴキー（３）はディスク（Ｄ１）（Ｄ２）の排出を操作するキーである。
【０００８】
制御回路（４）はＲＯＭ（５）に記憶されたプログラムにより動作するものであり、光センサー（１）や再生位置検出部（２）やＥＪＥＣＴキー（３）からの出力に基づいて駆動部（７）や音声報知手段（９）を制御する。ＲＡＭ（６）は制御回路（４）の動作に必要な情報を記憶する。
【０００９】
駆動部（７）はローラ（８）をディスク（Ｄ１）（Ｄ２）の引き込み方向、あるいは排出方向に回転させる。音声報知手段（９）は、排出位置に搬送されたディスクがいつまでも使用者により排除されない状態であることを音声で報知する。
【００１０】
図２〜図６は、ディスク（Ｄ１）（Ｄ２）の種々の位置に於ける光センサー（１）のＯＮ／ＯＦＦ状態を示す図である。図２は引き込みを開始する状態を示す平面図であり、図３は図２の右側面図であり、図４は再生位置（引き込み終了位置）を示す平面図であり、図５は排出位置を示す平面図であり、図６は検出位置までディスク（Ｄ１）（Ｄ２）を移動させた平面図である。
【００１１】
図７は第１の実施例の制御回路（４）の主要な動作を示すフローチャートである。ローラは図示せぬホルダにより上下に揺動可能に軸支され、図３に示すトーションスプリング（１１）によりガイド（１０）の方向に付勢されている。そこで、このトーションスプリング（１１）の付勢に抗してディスク（Ｄ１）（Ｄ２）がガイド（１０）とローラ（１）の間に使用者により挿入される。やがて、図２に示す如く、ディスク（Ｄ１）（Ｄ２）が光センサー（１）に到達すると、光センサー（１）の出力がOFFからONに切り替わる。制御回路（４）がこれを検出すると（Ｓ１）、ローラ（７）が引き込み方向に回転するよう、駆動部（７）を制御する（Ｓ２）。制御回路（４）は、ディスク（Ｄ１）（Ｄ２）が再生位置（図４の位置）に到達したことを再生位置検出部（２）が検出するまで（Ｓ３のＹ）、この引き込みを行わせる。
【００１２】
制御回路（４）がＥＪＥＣＴキー（３）の操作により排出の信号を受けると（Ｓ４）、図５の排出位置まで、即ち、光センサー（１）の出力がONからOFFに切り替わるまで（Ｓ６のＹ）、ローラ（７）が排出方向に回転するよう、駆動部（７）を制御する（Ｓ５）。図５の排出位置は、トーションスプリング（１１）の付勢によりディスク（Ｄ１）（Ｄ２）が落下せず、また、使用者が小さな力でディスク（Ｄ１）（Ｄ２）を抜き取ることができる適度な位置である。
【００１３】
所定時間経過すると（Ｓ７）、制御回路（４）は所定の短時間ローラ（７）を引き込み方向に回転させる（Ｓ８）。即ち、排出位置を検出するOFFとなったばかりの光センサー（１）方向へディスク（Ｄ１）（Ｄ２）を移動する方向へローラ（７）を回転させる。
【００１４】
ステップＳ７の所定時間中に使用者がディスク（Ｄ１）（Ｄ２）を装置から抜き取っていれば、制御回路（４）はディスク（Ｄ１）（Ｄ２）を検出しない（Ｓ９のＮ）。このときはステップＳ１に戻る。
【００１５】
ステップＳ７の所定時間中に使用者がディスク（Ｄ１）（Ｄ２）を装置から抜き取っていなければ、ディスク（Ｄ１）（Ｄ２）は図６に示す位置に引き込まれ、制御回路（４）はディスク（Ｄ１）（Ｄ２）を検出する（Ｓ９のＹ）。このときはステップＳ８と同じ時間だけローラ（７）を排出方向に回転させてディスク（Ｄ１）（Ｄ２）を図５の排出位置まで戻す（Ｓ１０）。そして、制御回路（４）は、排出位置に搬送されたディスクがいつまでも使用者により排除されない状態であることを音声報知手段（９）により音声で報知する。
【００１６】
このように、本発明はディスクの搬送によりディスクの有無の検出部を併用して、検出部の数を削減する。
【００１７】
次に第２の実施例を説明する。図８は第２の実施例の要部の構成を示すブロック図である。第１の実施例と同様の構成は同一番号を付して説明を省略する。
【００１８】
また、図９〜図１４は、ディスク（Ｄ１）（Ｄ２）の種々の位置に於ける第１，第２のスイッチ（２１）（２２）のＯＮ／ＯＦＦ状態を示す図である。図９は８ｃｍ／１２ｃｍディスク（Ｄ１）（Ｄ２）に於けるローラ（８）の引き込み方向の回転を開始する状態を示す平面図であり、図１０は図９の正面図であり、図１１は８ｃｍ／１２ｃｍディスク（Ｄ１）（Ｄ２）の再生位置（引き込み終了位置）を示す平面図であり、図１２は１２ｃｍディスク（Ｄ２）の排出位置を示す平面図であり、図１３は８ｃｍディスク（Ｄ１）の排出位置を示す平面図であり、図１４は検出位置まで８ｃｍディスク（Ｄ１）を移動させた平面図である。図９〜図１４に於いて、第１の実施例と同様の構成は同一番号を付す。
【００１９】
第２の実施例のディスクの検出は光センサー（１）でなく、第１、第２のスイッチ（２１）（２２）により行われる。このスイッチ（２１）（２２）による検出方法を説明する。図９、図１０に示す如く、ディスク（Ｄ１）（Ｄ２）の挿入部には左右１対の爪（１２ａ）（１３ａ）があり、夫々の爪（１２ａ）（１３ａ）は夫々第１、第２のレバー（１２）（１３）に設けられる。第１、第２のレバー（１２）（１３）は共通の歯車（１４）に歯合する歯を有しており、一方のレバー（１２）（１３）が右に滑動すれば、歯車（１４）により他方のレバー（１３）（１２）が左に滑動する機構となっている。これにより、左右１対の爪（１２ａ）（１３ａ）は挿入部を中心に開閉する。爪（１２ａ）（１３ａ）はコイルスプリング（１５）により閉じる方向に付勢され、ディスク（Ｄ１）（Ｄ２）の挿入に伴い開閉する。
【００２０】
図９に示す如く、第２のレバー（１３）の滑動先に第１、第２のスイッチ（２１）（２２）が配設される。従って、第２のレバー（１３）の滑動に伴い、即ち、ディスク（Ｄ１）（Ｄ２）の挿入により、第１、第２のスイッチ（２１）（２２）がＯＦＦ／ＯＮする。
【００２１】
図１７は第２の実施例の制御回路（４）の主要な動作を示すフローチャートである。８ｃｍディスク（Ｄ１）あるいは１２ｃｍディスク（Ｄ２）がガイド（１０）とローラ（１）の間に使用者により挿入される。挿入に伴って、第１のガイド（１３）が右方に滑動する。やがて、図９に示す如く、８ｃｍディスク（Ｄ１）あるいは１２ｃｍディスク（Ｄ２）の挿入により第１のスイッチ（２１）がOFFからONに切り替わる。制御回路（４）がこれを検出すると（Ｓ１１）、ローラ（７）が引き込み方向に回転するよう、駆動部（７）を制御する（Ｓ１２）。制御回路（４）は、８ｃｍディスク（Ｄ１）あるいは１２ｃｍディスク（Ｄ２）が再生位置（図１１の位置）に到達したことを再生位置検出部（２）が検出するまで（Ｓ１３のＹ）、この引き込みを行わせる。
【００２２】
制御回路（４）は、ローラ（７）が排出方向に回転するよう、駆動部（７）を制御する（Ｓ１５）。排出が進行して第２のスイッチ（２２）がONからOFFに切り替わるのは１２ｃｍディスク（Ｄ２）のみであるが、このようになると（Ｓ１６のＹ）、制御回路（４）はローラの回転を停止させる。この位置が１２ｃｍディスク（Ｄ２）の場合の排出位置であり、図１２に示す如く、この位置では、第１のスイッチ（２１）はＯＮになっており、１２ｃｍディスク（Ｄ２）の有無に検出が可能である。
【００２３】
排出位置で所定時間経過（Ｓ１７）する前に使用者が１２ｃｍディスク（Ｄ２）を装置から抜き取れば、制御回路（４）は第１のスイッチ（２１）のＯＮを検出しない（Ｓ１８のＮ）。このときはステップＳ１１に戻る。
【００２４】
排出位置で所定時間経過（Ｓ１７）しても使用者が１２ｃｍディスク（Ｄ２）を装置から抜き取らなければ、制御回路（４）は第１のスイッチ（２１）のＯＮを検出する（Ｓ１８のＹ）。このときはステップＳ１２に戻って１２ｃｍディスク（Ｄ２）を再び再生位置に引き込む。
【００２５】
ステップＳ１５で排出方向にローラを回転させているとき、第２のスイッチ（２２）がONからOFFに切り替わることなく、第１のスイッチ（２１）がONからOFFに切り替わると、即ち、８ｃｍディスク（Ｄ１）を排出中に第１のスイッチ（２１）がONからOFFに切り替わると、制御回路（４）はローラの回転を停止させる。この位置が８ｃｍディスク（Ｄ１）の場合の排出位置であり、図１３に示す如く、この位置では、第１のスイッチ（２１）はOFFになっており、８ｃｍディスク（Ｄ１）の有無の検出はできない。
【００２６】
所定時間経過すると（Ｓ２０）、制御回路（４）は所定の短時間ローラ（７）を引き込み方向に回転させる（Ｓ２１）。即ち、排出位置を検出するOFFとなったばかりの光センサー（１）方向へ８ｃｍディスク（Ｄ１）を移動する方向へローラ（７）を回転させ、ステップＳ１８に進む。
【００２７】
排出位置で所定時間経過（Ｓ２０）する前に使用者が１２ｃｍディスク（Ｄ２）を装置から抜き取れば、制御回路（４）は第１のスイッチ（２１）のＯＮを検出しない（Ｓ１８のＮ）。このときはステップＳ１１に戻る。
【００２８】
排出位置で所定時間経過（Ｓ１７）しても使用者が１２ｃｍディスク（Ｄ２）を装置から抜き取らなければ、制御回路（４）は第１のスイッチ（２１）のＯＮを検出する（Ｓ１８のＹ）。このときはステップＳ１２に戻って１２ｃｍディスク（Ｄ２）を再び再生位置に引き込む。
【００２９】
このように、１２ｃｍディスク（Ｄ２）のときは、８ｃｍディスク（Ｄ１）用の検出部（第１のスイッチ（２１））を使用して排出位置でのディスクの有無を検出する。しかしながら、８ｃｍディスク（Ｄ１）のときは排出位置にディスクの有無を検出する検出部がないために、検出部の位置まで８ｃｍディスク（Ｄ１）を搬送させて、８ｃｍディスク（Ｄ１）の有無を検出する。これにより、検出の削減ができる。
【００３０】
【発明の効果】
上述の如く、本発明は、ディスクの有無を検出するときに、検出部までディスクを搬送する動作を行う。この検出部は他の目的のために設けられたものであり、新たに検出部を設ける必要がない。また、ディスクを搬送する手段は引き込み／排出用の搬送手段を使用する場合は、何一つ部品を追加しなくてもよい。これにより、小型で安価なディスク再生装置を供給することができる。
【図面の簡単な説明】
【図１】本発明の第１の実施例の要部の構成を示すブロック図である。
【図２】第１の実施例の引き込みを開始する状態を示す平面図である。
【図３】図２の右側面図である。
【図４】第１の実施例の再生位置を示す平面図である。
【図５】第１の実施例の排出位置を示す平面図である。
【図６】第１の実施例の検出位置までディスクを移動させた状態を示す平面図である。
【図７】第１の実施例の主要な動作を示すフローチャートである。
【図８】本発明の第２の実施例の要部の構成を示すブロック図である。
【図９】第２の実施例の引き込みを開始する状態を示す平面図である。
【図１０】図９の正面図である。
【図１１】第２の実施例の再生位置を示す平面図である。
【図１２】第２の実施例の１２ｃｍディスクの排出位置を示す平面図である。
【図１３】第２の実施例の８ｃｍディスクの排出位置を示す平面図である。
【図１４】第２の実施例の検出位置までディスクを移動させた状態を示す平面図である。
【図１５】第２の実施例の主要な動作を示すフローチャートである。
【符号の説明】
１  光センサー
３  ＥＪＥＣＴキー
４  制御回路
７  駆動部
８  ローラ
２１  第１のスイッチ
２２  第２のスイッチ
【図１】
0003842961.tif 000002
【図２】
0003842961.tif 000003
【図３】
0003842961.tif 000004
【図４】
0003842961.tif 000005
【図５】
0003842961.tif 000006
【図６】
0003842961.tif 000007
【図７】
0003842961.tif 000008
【図８】
0003842961.tif 000009
【図９】
0003842961.tif 000010
【図１０】
0003842961.tif 000011
【図１１】
0003842961.tif 000012
【図１２】
0003842961.tif 000013
【図１３】
0003842961.tif 000014
【図１４】
0003842961.tif 000015
【図１５】
0003842961.tif 000016